(57)【要約】【課題】分解能の高い、ファインダの視度補正機構を提供すること。【解決手段】本発明の視度補正機構１０は、視度補正レンズ１１ａと、視度補正レンズ１１ａを保持し、光軸方向に移動可能に配置され、第１側面１１ｂに第１穴１３が設けられた移動枠１１と、移動枠１１の外周側に配置され、第１側面１１ｂと同じ側の第２側面１２ａに第２穴１４が設けられた固定枠１２と、固定枠１２の第２側面１２ａに回転可能に取り付けられた第１ギア３１と、第１ギア３１と噛合する第２ギア３２と、第２ギア３２を回転操作するためのダイヤル２０と、を備える。第１ギア３１の第２側面１２ａ側には、第２穴１４を貫通して第１穴１３に挿入される突起部３３が設けられ、第２穴１４は第１ギア３１の回転による突起部３３の軌跡に沿って設けられ、第１穴１３が光軸方向に延びる長さは、第２穴１４の長さより短く、第２ギア３２の歯先円の半径である第２半径は、第１ギア３１の歯先円の半径である第１半径よりも小さいこと、を特徴とする。【選択図】図２
2012226074.tif 000002
【特許請求の範囲】
【請求項１】
ファインダの視度調整用の視度補正レンズと、
該視度補正レンズを保持するとともに、該視度補正レンズの光軸方向に移動可能に配置され、第１側面に第１穴が設けられた移動枠と、
該移動枠の外周側に配置され、前記第１側面と同じ側の第２側面に第２穴が設けられた固定枠と、
該固定枠の前記第２側面に回転可能に取り付けられた第１ギアと、
前記第１ギアと噛合する第２ギアと、
該第２ギアを回転操作するためのダイヤルと、を備え、
前記第１ギアの前記第２側面側には、前記第２穴を貫通して前記第１穴に挿入される突起部が設けられ、
前記第２穴は前記第１ギアの回転による前記突起部の軌跡に沿って設けられ、
前記第１穴が前記光軸方向に延びる長さは、前記第２穴が前記光軸方向に延びる長さより短く、
前記第２ギアの歯先円の半径である第２半径は、前記第１ギアの歯先円の半径である第１半径よりも小さいこと、
を特徴とするファインダの視度補正機構。
【請求項２】
請求項１に記載のファインダの視度補正機構であって、
前記ダイヤルの回転角度に対する前記視度補正レンズの移動量が一定となるように、前記第１穴は湾曲していること、を特徴とするファインダの視度補正機構。
【請求項３】
請求項１または２に記載のファインダの視度補正機構を備えるカメラ。
【発明の詳細な説明】
【技術分野】
【０００１】
本発明は、デジタルカメラ等に搭載されたファインダの視度補正機構及びそれを備えたカメラに関するものである。
【背景技術】
【０００２】
従来、ファインダの視度補正機構は、接眼部近傍に設けられた視度補正ダイヤルと、該視度補正ダイヤルに設けられたピンと、該ダイヤルの回転によりピンを介して光軸に沿って移動する視度補正レンズとを備える（例えば、特許文献１参照）。
【先行技術文献】
【特許文献】
【０００３】
【特許文献１】特開２００８−１８７３３４号公報
【発明の概要】
【発明が解決しようとする課題】
【０００４】
しかし、視度補正レンズの倍率が高くなると視度補正レンズの移動量が少なくなる。この場合、従来、視度補正ダイヤルの回転角を小さくするか、ピンの回転半径を小さくことで対応しているが、構造的に限界があり、微細な視度補正ができない。
【０００５】
本発明の課題は、分解能の高い、ファインダの視度補正機構を提供することである。
【課題を解決するための手段】
【０００６】
本発明は、以下のような解決手段により前記課題を解決する。なお、理解を容易にするために、本発明の実施形態に対応する符号を付して説明するが、本発明は、これに限定されるものではない。
【０００７】
請求項１に記載の発明は、ファインダ（４）の視度調整用の視度補正レンズ（１１ａ）と、該視度補正レンズ（１１ａ）を保持するとともに、該視度補正レンズ（１１ａ）の光軸（ＯＡ）方向に移動可能に配置され、第１側面（１１ｂ）に第１穴（１３）が設けられた移動枠（１１）と、該移動枠（１１）の外周側に配置され、前記第１側面（１１ｂ）と同じ側の第２側面（１２ａ）に第２穴（１４）が設けられた固定枠（１２）と、該固定枠（１２）の前記第２側面（１２ａ）に回転可能に取り付けられた第１ギア（３１）と、前記第１ギア（３１）と噛合する第２ギア（３２）と、該第２ギア（３２）を回転操作するためのダイヤル（２０）と、を備え、前記第１ギア（３１）の前記第２側面（１２ａ）側には、前記第２穴（１４）を貫通して前記第１穴（１３）に挿入される突起部（３３）が設けられ、前記第２穴（１４）は前記第１ギア（３１）の回転による前記突起部（３３）の軌跡に沿って設けられ、前記第１穴（１３）が前記光軸（ＯＡ）方向に延びる長さは、前記第２穴（１４）が前記光軸（ＯＡ）方向に延びる長さより短く、前記第２ギア（３２）の歯先円の半径である第２半径は、前記第１ギア（３１）の歯先円の半径である第１半径よりも小さいこと、を特徴とするファインダ（４）の視度補正機構（１０）である。
請求項２に記載の発明は、請求項１に記載のファインダ（４）の視度補正機構（１０）であって、前記ダイヤル（２０）の回転角度に対する前記視度補正レンズ（１１ａ）の移動量が一定となるように、前記第１穴（１３）は湾曲していること、を特徴とするファインダ（４）の視度補正機構（１０）である。
請求項３に記載の発明は、請求項１または２に記載のファインダ（４）の視度補正機構（１０）を備えるカメラ（１）である。
【０００８】
なお、符号を付して説明した構成は、適宜改良してもよく、また、少なくとも一部を他の構成物に代替してもよい。
【発明の効果】
【０００９】
本発明によれば、分解能の高い、ファインダの視度補正機構を提供することができる。
【図面の簡単な説明】
【００１０】
【図１】本発明の視度補正機構を備えたカメラの斜視図である。
【図２】本発明の実施形態のファインダの視度補正機構の斜視図であり、（ａ）は、分解斜視図であり、（ｂ）は、視度補正ダイヤルとギアを固定枠側から見た図であり、（ｃ）は、第１穴と第２穴との図である。
【図３】比較形態のファインダの視度補正機構の斜視図であり、（ａ）は視度補正機構の分解斜視図であり、（ｂ）視度補正ダイヤルの固定枠側からみた図である。
【図４】図３において、視度補正機構の光軸に沿った側面図である。
【発明を実施するための形態】
【００１１】
以下、図面等を参照して、本発明の実施形態のファインダの視度補正機構について説明する。図１は、本発明の実施形態の視度補正機構を備えるカメラの斜視図である。本実施形態のカメラは、エレクトリック・ビュー・ファインダ（以下、ファインダという）を備えるデジタルカメラ１である。
【００１２】
図示するように、カメラ１は、撮影用レンズ２と、該撮影用レンズ２が着脱可能なカメラボディ３と、カメラボディ３内に配置された図示しない撮像素子とを備える。カメラボディ３の背面側には、ファインダ４が設けられている。撮影用レンズ２から入射した光は、撮影素子に入射し，撮影素子から出力された電気信号は、一部ファインダ４に送られ、ファインダ４における撮影画像の観察が可能となる。
【００１３】
図２は、本発明の実施形態のファインダ４の視度補正機構１０の図である。（ａ）は、視度補正機構１０の分解斜視図である。（ｂ）は、視度補正ダイヤル２０とギア３０を固定枠１２側から見た図である。（ｃ）は、第１穴と第２穴との図である。
【００１４】
図２に示す視度補正機構１０は、移動枠１１、固定枠１２、扇形ギア（第１ギア）３１、平歯車（第２ギア）３２、視度補正ダイヤル（ダイヤル）２０及び作動軸（突起部）３３等を備えている。
【００１５】
移動枠１１は、ファインダ４の視度を調整する視度補正レンズ１１ａを保持し、視度補正レンズ１１ａの光軸ＯＡ方向に移動自在に固定枠１２に組み込まれている。移動枠１１の第１側面１１ｂには、第１穴１３が形成されている。
【００１６】
固定枠１２は、カメラボディ３に設けられており、移動枠１１の外周に配置され、第１側面１１ｂと同じ側の第２側面１２ａに第２穴１４が形成されている。また、固定枠１２の第２側面１２ａからは、第１支持突起１５及び第２支持突起１６が突出している。
移動枠１１と固定枠１２との一方には、光軸ＯＡ方向に沿った図示しない突条が形成され、他方に突条が入り込む図示しない溝が形成されている。移動枠１１は、突条と溝との案内によって、固定枠１２に対して光軸ＯＡ方向に沿って位置調節可能に往復移動できるようになっている。
【００１７】
扇形ギア３１には、支持穴１７が設けられている。該支持穴１７を、固定枠１２の２側面１２ａから突設した第１支持突起１５に係合させることで、扇形ギア３１は固定枠１２に回転自在に取り付けられる。
【００１８】
平歯車３２も、貫通孔３２ａを固定枠１２の第２側面１２ａにから突設した第２支持突起１６に係合させることで、固定枠１２に回転自在に取り付けられる。平歯車３２は、扇形ギア３１と噛み合う部分のみに歯が形成されて、扇形ギア３１と噛み合っている。なお、平歯車３２の歯は、全周に形成されていてもよい。
【００１９】
視度補正ダイヤル２０は、平歯車３２と一体に動くように形成されており、平歯車３２を回転操作する役目をしている。視度補正ダイヤル２０の貫通孔３２ａには、固定枠１２と反対側から、鍔２２ａ付の支持軸２２が挿入される。支持軸２２は、先端部が第２支持突起１６に設けられているねじ穴１６ａにねじ込まれ、固定枠１２に固定される。そして、鍔２２ａによって視度補正ダイヤル２０の支持軸２２からの抜けが防止される。扇形ギア３１は、視度補正ダイヤル２０が外側から重なるように配置され、この重複によって扇形ギア３１の第１支持突起１５からの抜けが防止される。
【００２０】
扇形ギア３１は、固定枠１２の第２側面１２ａと対向する側面に、第２穴１４を貫通して移動枠１１の第１穴１３に挿入される作動軸（突起部）３３が突設されている。
第２穴１４は、扇形ギア３１の回転による作動軸３３の軌跡に沿って形成された湾曲した長孔である。第１穴１３も第２穴１４と同じように、視度補正レンズ１１ａから離れる方向に湾曲した長孔である。図３に示すように第１穴１３の光軸ＯＡ方向に延びる長さ（Ｌ１）は、第２穴１４が光軸方向に延びる長さ（Ｌ２）より短く（Ｌ１＜Ｌ２）設定されている。
【００２１】
平歯車３２の歯先円の半径である第２半径は、扇形ギア３１の歯先円の半径である第１半径よりも小さく設定されている。このため、扇形ギア３１は、平歯車３２に対して減速回転するようになっており、平歯車３２とで減速機構を構成している。
【００２２】
以上の構成において、視度補正ダイヤル２０を回転させると、平歯車３２が回転し、扇形ギア３１が減速回転する。扇形ギア３１が回転すると、作動軸３３は、円弧状の第２穴１４と、第１穴１３内を移動する。作動軸３３は、第１穴１３を移動しながら、移動枠１１を直線移動させて、視度補正レンズ１１ａの位置を調整する。このため、作動軸３３と第１穴１３は、視度補正ダイヤル２０の回転運動を移動枠１１の直線運動に変換する、運動方向変換機構を構成している。
【００２３】
この場合、第１穴１３が湾曲した形状になっているため、移動枠１１は、視度補正ダイヤル２０の回転角に対する移動量を略均一に直線往復移動をする。また、平歯車３２の歯先円の半径である第２半径が、扇形ギア３１の歯先円の半径である第１半径よりも小さく設定されているので、視度補正レンズ１１ａを備えた移動枠１１の移動量に対する視度補正ダイヤル２０の回転角度を従来よりも大きくすることができる。
【００２４】
（比較形態）
図３は、比較形態の視度補正機構１００の分解斜視図である。図４は、視度補正機構１００の光軸ＯＡに沿った側面図である。視度補正機構１００は、接眼近傍に設けられた視度補正ダイヤル１２０と、該視度補正ダイヤル１２０に設けられたピン１３３と、該視度補正ダイヤル１２０の回転によりピン１３３と嵌合溝１１４とを介して光軸に沿って移動するレンズユニット１１１とを備えている。
【００２５】
しかし、この比較形態の視度補正機構１００は、視度補正ダイヤル１２０に設けられたピン１３３により、視度補正レンズ１１１ａを有するレンズユニット１１１を光軸ＯＡ方向に移動させている。このため、視度補正ダイヤル１２０の回転を１８０度より大きくすることはできない。
【００２６】
また、視度補正機構１００は、ｘ＝ｒ−ｒ×ｃｏｓθ（ｘ：視度補正レンズ１１１ａの移動量、ｒ：回転半径（視度補正ダイヤル１２０の回転中心とピン１３３との距離）、θ：回転角度）の関係にあり、視度補正ダイヤル１２０の回転角度により視度補正レンズ１１１ａの移動量が異なり不均一である。
【００２７】
視度補正機構１００において、視度補正レンズ１１１ａの倍率が高く、視度補正レンズ１１１ａの移動量ｘが少ない場合、視度補正機構１００は、微細な視度補正する場合、視度補正ダイヤル１２０の回転角を小さくするか、ピン１３３の回転半径を小さくするかしなければならず、構造的に微細な補正精度上げることに限界があり、微細な視度補正が困難である。
【００２８】
（本実施形態の効果）
しかし、本実施形態によると、上記比較形態と異なり、以下の効果を有する。
（１）本実施形態の視度補正機構１０は、平歯車３２の半径が、扇形ギア３１の半径よりも小さく設定されているので、視度補正レンズ１１ａの移動量に対する視度補正ダイヤル２０の回転角度を従来よりも大きくすることができる。よって、ファインダ４の視度の微細な視度補正が可能となり、分解能を高めることができる。
【００２９】
（２）視度補正機構１０は、ダイヤル２０の回転角度に対する視度補正レンズ１１ａの移動量が一定となるように、第１穴１３が湾曲しているので、視度補正ダイヤル２０の回転角に対する視度補正レンズ１１ａの移動量を均一にして、視度の補正が容易になる。
【００３０】
（３）視度補正機構１０において、扇形ギア３１が必要とする歯だけが形成されているため、小型にすることができる。
【００３１】
（変形形態）
以上、説明した実施形態に限定されることなく、以下に示すような種々の変形や変更が可能であり、それらも本発明の範囲内である。
（１）本実施形態では、エレクトリック・ビュー・ファインダの視度補正機構について説明したが、それに限定されず、ペンタプリズムを備える一眼レフカメラにおいても適用可能である。
（２）本発明は、エレクトリック・ビュー・ファインダを備えるデジタルカメラについて説明したが、これに限定されず、ビデオカメラにも適用可能である。
【符号の説明】
【００３２】
１：カメラ、４：ファインダ、１０：視度補正機構、１１：移動枠、１１ａ：視度補正レンズ、１１ｂ：第１側面、１２：固定枠、１２ａ：第２側面、１３：第１穴、１４：第２穴、２０：視度補正ダイヤル（ダイヤル）、３２：平歯車（第２ギア）、３１：扇形ギア（第１ギア）、３３：作動軸（突起部）
【図１】
2012226074.tif 000003
【図２】
2012226074.tif 000004
【図３】
2012226074.tif 000005
【図４】
2012226074.tif 000006